(57)【要約】【課題】  データ転送期間の長期間化を招くことなく、装置の小型化及びコストの低減が実現できるデータ転送装置及びデータ転送方法を得る。【解決手段】  メモリ制御部３０は、メモリ２０に記憶されている原画像データ及び合成画像データを読み出し、原画像データの一部領域に合成画像データが含まれるように原画像データを変換した後、変換後の原画像データを画像処理装置５０に転送する。また、この際、メモリ制御部３０は、原画像データにおける当該原画像データによって示される原画像の視覚認識度が所定度合いより低い領域に合成画像データが含まれるように原画像データを変換する。【選択図】        図１
2006093978.tif 000002
【特許請求の範囲】
【請求項１】
原画像データ及び合成画像データを用いて、前記原画像データによって示される原画像に前記合成画像データによって示される合成画像を合成する処理を行う画像処理装置に、前記原画像データ及び前記合成画像データを転送するデータ転送装置であって、
前記原画像データの一部領域に前記合成画像データが含まれるように前記原画像データを変換する変換手段と、
前記変換手段により変換された原画像データを前記画像処理装置に転送する転送手段と、
を備えたデータ転送装置。
【請求項２】
前記変換手段は、前記原画像データにおける当該原画像データによって示される原画像の視覚認識度が所定度合いより低い領域に前記合成画像データが含まれるように前記原画像データを変換する
請求項１記載のデータ転送装置。
【請求項３】
前記原画像データを、画素毎に複数ビットの画素データにより構成されるものとし、
前記変換手段は、前記原画像データにおける各画素データの一部のビットを前記合成画像データに置き換えることにより前記原画像データを変換するか、又は前記原画像データにおける各画素データの少なくとも一部のビットを当該画素データと前記合成画像データとで共用するように前記原画像データを変換する
請求項１又は請求項２記載のデータ転送装置。
【請求項４】
前記原画像データを、複数の原色毎のカラー画像データにより構成されるものとし、
前記変換手段は、前記原画像データにおける複数のカラー画像データの一部又は全部を対象として前記変換を行う
請求項１乃至請求項３の何れか１項記載のデータ転送装置。
【請求項５】
原画像データ、合成画像データ及び属性データを用いて、前記原画像データによって示される原画像に前記合成画像データによって示される合成画像を合成する処理を行うと共に、前記原画像に対して前記属性データによって示される所定の画像処理を行う画像処理装置に、前記原画像データ、前記合成画像データ及び前記属性データを転送するデータ転送装置であって、
前記属性データの一部領域に前記合成画像データが含まれるように前記属性データを変換する変換手段と、
前記原画像データと前記変換手段により変換された属性データとを前記画像処理装置に転送する転送手段と、
を備えたデータ転送装置。
【請求項６】
前記属性データを、前記原画像データによって示される原画像の画素毎の濃度を示す複数ビット構成とされた画素データにより構成されるものとし、
前記変換手段は、前記属性データにおける各画素データの少なくとも一部のビットを当該画素データと前記合成画像データとで共用するように前記属性データを変換する
請求項５記載のデータ転送装置。
【請求項７】
前記属性データを、前記原画像データによって示される原画像の画素毎の再生位置を示す複数ビット構成とされた画素データにより構成されるものとし、
前記変換手段は、前記属性データにおける各画素データの少なくとも一部のビットを当該画素データと前記合成画像データとで共用するように前記属性データを変換する
請求項５記載のデータ転送装置。
【請求項８】
前記属性データを、前記原画像データによって示される原画像の画素毎の濃度変換情報を特定するための特定情報を示す複数ビット構成とされた画素データにより構成されるものとし、
前記変換手段は、前記属性データにおける各画素データの少なくとも一部のビットを当該画素データと前記合成画像データとで共用するように前記属性データを変換する
請求項５記載のデータ転送装置。
【請求項９】
前記原画像データを、複数の原色毎のカラー画像データにより構成されるものとすると共に、前記属性データを、前記複数の原色毎のカラー画像データの各々に対応する複数のデータにより構成されるものとし、
前記変換手段は、前記属性データにおける前記複数のデータの一部又は全部を対象として前記変換を行う
請求項５乃至請求項８の何れか１項記載のデータ転送装置。
【請求項１０】
原画像データ及び合成画像データを用いて、前記原画像データによって示される原画像に前記合成画像データによって示される合成画像を合成する処理を行う画像処理装置に、前記原画像データ及び前記合成画像データを転送するデータ転送方法であって、
前記原画像データの一部領域に前記合成画像データが含まれるように前記原画像データを変換し、
変換した原画像データを前記画像処理装置に転送する、
データ転送方法。
【請求項１１】
原画像データ、合成画像データ及び属性データを用いて、前記原画像データによって示される原画像に前記合成画像データによって示される合成画像を合成する処理を行うと共に、前記原画像に対して前記属性データによって示される所定の画像処理を行う画像処理装置に、前記原画像データ、前記合成画像データ及び前記属性データを転送するデータ転送方法であって、
前記属性データの一部領域に前記合成画像データが含まれるように前記属性データを変換し、
前記原画像データと変換した属性データとを前記画像処理装置に転送する、
データ転送方法。
【発明の詳細な説明】
【技術分野】
【０００１】
本発明は、データ転送装置及びデータ転送方法に係り、特に、原画像データ及び合成画像データを用いて、前記原画像データによって示される原画像に前記合成画像データによって示される合成画像を合成する処理を行う画像処理装置に、前記原画像データ及び前記合成画像データを転送するデータ転送装置及びデータ転送方法に関する。
【背景技術】
【０００２】
近年、原画像データによって示される原画像に合成画像データによって示される日付を示す画像、ページ番号を示す画像、スタンプを示す画像、コピーを抑制するための画像等を合成して出力する機能を有するデジタル複写機、ファクシミリ装置、プリンタ、デジタル複合機等の画像形成装置がある。
【０００３】
この種の画像形成装置では、原画像データに対する画像形成に関する処理の高速化に加えて、合成画像データを用いた処理も高速化が要求されている。
【０００４】
このために適用できる技術として、従来、通常の画像データ（上記「原画像データ」に相当。）と付加情報画像データ（上記「合成画像データ」に相当。）との合成を効率的に行えるようにすることを目的として、画像データを入力する画像入力手段と、該手段によって入力された通常の画像データと付加情報画像データとを合成する画像合成手段と、前記画像入力手段によって入力された通常の画像データもしくは前記画像合成手段によって合成された画像データを記憶するための１次記憶部及び該１次記憶部に記憶された画像データを保存するための２次記憶部とから構成される記憶装置を複数有する画像記憶手段と、前記画像入力手段によって入力された通常の画像データもしくは前記画像記憶手段内の少なくとも何れかの記憶装置の１次記憶部又は２次記憶部に記憶又は保存されている画像データを出力する画像出力手段とを備えた画像処理装置において、前記画像合成手段が、前記画像入力手段によって入力された通常の画像データと前記画像記憶手段内の少なくとも何れかの記憶装置の１次記憶部に予め記憶された前記付加情報画像データとを合成する手段を有する技術があった（例えば、特許文献１参照。）。
【特許文献１】特開２０００−３５８１５１公報
【発明の開示】
【発明が解決しようとする課題】
【０００５】
しかしながら、上記従来の技術では、画像合成手段に通常の画像データ及び付加情報画像データを入力するためのデータパスとして各々個別のデータパスを備えているため、当該データパスに関する回路規模が大きくなってしまい、装置サイズが大きくなってしまうと共に、コストが上昇してしまう、という問題点があった。
【０００６】
これに対し、１つのデータパスによって通常のデータ及び付加情報画像データをシリアルに画像合成手段に入力する形態も考えられるが、この場合は、当該入力に費やされる時間が長時間化されてしまう、という新たな問題点が生じる。
【０００７】
本発明は、上記問題点を解決するためになされたものであり、データ転送期間の長期間化を招くことなく、装置の小型化及びコストの低減が実現できるデータ転送装置及びデータ転送方法を提供することを目的とする。
【課題を解決するための手段】
【０００８】
上記目的を達成するために、請求項１に記載のデータ転送装置は、原画像データ及び合成画像データを用いて、前記原画像データによって示される原画像に前記合成画像データによって示される合成画像を合成する処理を行う画像処理装置に、前記原画像データ及び前記合成画像データを転送するデータ転送装置であって、前記原画像データの一部領域に前記合成画像データが含まれるように前記原画像データを変換する変換手段と、前記変換手段により変換された原画像データを前記画像処理装置に転送する転送手段と、を備えている。
【０００９】
請求項１に記載のデータ転送装置は、原画像データ及び合成画像データを用いて、前記原画像データによって示される原画像に前記合成画像データによって示される合成画像を合成する処理を行う画像処理装置に、前記原画像データ及び前記合成画像データを転送するものとされている。なお、上記画像処理装置には、デジタル複写機、ファクシミリ装置、プリンタ、デジタル複合機等の画像形成装置が含まれる。また、上記合成画像データには、日付を示す画像を示す画像データ、ページ番号を示す画像を示す画像データ、スタンプを示す画像を示す画像データ、及びコピーを抑制するための画像を示す画像データが含まれる。
【００１０】
ここで、本発明では、変換手段によって前記原画像データの一部領域に前記合成画像データが含まれるように前記原画像データが変換され、変換された原画像データが転送手段によって前記画像処理装置に転送される。
【００１１】
このように、請求項１記載のデータ転送装置によれば、原画像データの一部領域に合成画像データが含まれるように原画像データを変換し、変換した原画像データを画像処理装置に転送しているので、合成画像データを画像処理装置に転送するためのデータパスを削減することができ、データ転送期間の長期間化を招くことなく、装置の小型化及びコストの低減が実現できる。
【００１２】
なお、本発明の前記変換手段は、請求項２に記載の発明のように、前記原画像データにおける当該原画像データによって示される原画像の視覚認識度が所定度合いより低い領域に前記合成画像データが含まれるように前記原画像データを変換するものとしてもよい。
【００１３】
また、本発明は、請求項３に記載の発明のように、前記原画像データを、画素毎に複数ビットの画素データにより構成されるものとし、前記変換手段は、前記原画像データにおける各画素データの一部のビットを前記合成画像データに置き換えることにより前記原画像データを変換するか、又は前記原画像データにおける各画素データの少なくとも一部のビットを当該画素データと前記合成画像データとで共用するように前記原画像データを変換するものとしてもよい。
【００１４】
更に、本発明は、請求項４に記載の発明のように、前記原画像データを、複数の原色毎のカラー画像データにより構成されるものとし、前記変換手段は、前記原画像データにおける複数のカラー画像データの一部又は全部を対象として前記変換を行うものとしてもよい。
【００１５】
一方、上記目的を達成するために、請求項５に記載のデータ転送装置は、原画像データ、合成画像データ及び属性データを用いて、前記原画像データによって示される原画像に前記合成画像データによって示される合成画像を合成する処理を行うと共に、前記原画像に対して前記属性データによって示される所定の画像処理を行う画像処理装置に、前記原画像データ、前記合成画像データ及び前記属性データを転送するデータ転送装置であって、前記属性データの一部領域に前記合成画像データが含まれるように前記属性データを変換する変換手段と、前記原画像データと前記変換手段により変換された属性データとを前記画像処理装置に転送する転送手段と、を備えている。
【００１６】
請求項５に記載のデータ転送装置は、原画像データ、合成画像データ及び属性データを用いて、前記原画像データによって示される原画像に前記合成画像データによって示される合成画像を合成する処理を行うと共に、前記原画像に対して前記属性データによって示される所定の画像処理を行う画像処理装置に、前記原画像データ、前記合成画像データ及び前記属性データを転送するものとされている。なお、上記画像処理装置には、デジタル複写機、ファクシミリ装置、プリンタ、デジタル複合機等の画像形成装置が含まれる。また、上記合成画像データには、日付を示す画像を示す画像データ、ページ番号を示す画像を示す画像データ、スタンプを示す画像を示す画像データ、及びコピーを抑制するための画像を示す画像データが含まれる。
【００１７】
ここで、本発明では、変換手段によって前記属性データの一部領域に前記合成画像データが含まれるように前記属性データが変換され、前記原画像データと前記変換手段により変換された属性データとが転送手段によって前記画像処理装置に転送される。
【００１８】
このように、請求項５記載のデータ転送装置によれば、属性データの一部領域に合成画像データが含まれるように属性データを変換し、原画像データと変換した属性データとを画像処理装置に転送しているので、合成画像データを画像処理装置に転送するためのデータパスを削減することができ、データ転送期間の長期間化を招くことなく、装置の小型化及びコストの低減が実現できる。
【００１９】
なお、請求項５に記載の発明は、請求項６に記載の発明のように、前記属性データを、前記原画像データによって示される原画像の画素毎の濃度を示す複数ビット構成とされた画素データにより構成されるものとし、前記変換手段は、前記属性データにおける各画素データの少なくとも一部のビットを当該画素データと前記合成画像データとで共用するように前記属性データを変換するものとしてもよい。
【００２０】
また、請求項５に記載の発明は、請求項７に記載の発明のように、前記属性データを、前記原画像データによって示される原画像の画素毎の再生位置を示す複数ビット構成とされた画素データにより構成されるものとし、前記変換手段は、前記属性データにおける各画素データの少なくとも一部のビットを当該画素データと前記合成画像データとで共用するように前記属性データを変換するものとしてもよい。
【００２１】
更に、請求項５に記載の発明は、請求項８に記載の発明のように、前記属性データを、前記原画像データによって示される原画像の画素毎の濃度変換情報を特定するための特定情報を示す複数ビット構成とされた画素データにより構成されるものとし、前記変換手段は、前記属性データにおける各画素データの少なくとも一部のビットを当該画素データと前記合成画像データとで共用するように前記属性データを変換するものとしてもよい。
【００２２】
また、請求項５乃至請求項８の何れか１項に記載の発明は、請求項９に記載の発明のように、前記原画像データを、複数の原色毎のカラー画像データにより構成されるものとすると共に、前記属性データを、前記複数の原色毎のカラー画像データの各々に対応する複数のデータにより構成されるものとし、前記変換手段は、前記属性データにおける前記複数のデータの一部又は全部を対象として前記変換を行うものとしてもよい。
【００２３】
一方、上記目的を達成するために、請求項１０に記載のデータ転送方法は、原画像データ及び合成画像データを用いて、前記原画像データによって示される原画像に前記合成画像データによって示される合成画像を合成する処理を行う画像処理装置に、前記原画像データ及び前記合成画像データを転送するデータ転送方法であって、前記原画像データの一部領域に前記合成画像データが含まれるように前記原画像データを変換し、変換した原画像データを前記画像処理装置に転送するものである。
【００２４】
従って、請求項１０に記載のデータ転送方法によれば、請求項１に記載の発明と同様に作用するので、請求項１記載の発明と同様に、合成画像データを画像処理装置に転送するためのデータパスを削減することができ、データ転送期間の長期間化を招くことなく、装置の小型化及びコストの低減が実現できる。
【００２５】
一方、上記目的を達成するために、請求項１１に記載のデータ転送方法は、原画像データ、合成画像データ及び属性データを用いて、前記原画像データによって示される原画像に前記合成画像データによって示される合成画像を合成する処理を行うと共に、前記原画像に対して前記属性データによって示される所定の画像処理を行う画像処理装置に、前記原画像データ、前記合成画像データ及び前記属性データを転送するデータ転送方法であって、前記属性データの一部領域に前記合成画像データが含まれるように前記属性データを変換し、前記原画像データと変換した属性データとを前記画像処理装置に転送するものである。
【００２６】
従って、請求項１１に記載のデータ転送方法によれば、請求項５に記載の発明と同様に作用するので、請求項５記載の発明と同様に、合成画像データを画像処理装置に転送するためのデータパスを削減することができ、データ転送期間の長期間化を招くことなく、装置の小型化及びコストの低減が実現できる。
【発明の効果】
【００２７】
以上のように、本発明によれば、合成画像データを画像処理装置に転送するためのデータパスを削減することができ、データ転送期間の長期間化を招くことなく、装置の小型化及びコストの低減が実現できる、という優れた効果が得られる。
【発明を実施するための最良の形態】
【００２８】
以下、図面を参照して、本発明に係る実施の形態について詳細に説明する。なお、ここでは、本発明のデータ転送装置を画像処理装置と一体的に構成した場合の形態について説明する。また、ここでは、画像処理装置を、インク滴の吐出によって画像を形成するインクジェット記録装置（所謂、インクジェットプリンタ）とした場合について説明する。
【００２９】
［第１の実施の形態］
まず、図１を参照して、本実施の形態に係る画像処理装置１０の構成を説明する。なお、図１は、本実施の形態に係る画像処理装置１０の要部構成を示すブロック図であり、原画像データ等のデータを外部装置から入力するデータ入力部、画像を出力（印刷）する画像出力部、外部装置と電気的に接続するための外部接続部、ユーザからの指示の入力や各種情報を表示するユーザ・インタフェース部等の本発明に直接的には関係しない部分については図示を省略している。
【００３０】
同図に示すように、本実施の形態に係る画像処理装置１０は、主として原画像データ及び合成画像データを一時的に記憶するメモリ２０と、メモリ２０に記憶された原画像データ及び合成画像データを読み出し、必要に応じて原画像データの一部領域に合成画像データが含まれるように原画像データを変換して、原画像データ及び合成画像データを後述する画像処理部５０に転送するメモリ制御部３０と、原画像データによって示される原画像に合成画像データによって示される合成画像を合成する処理や、原画像データに対する画像品質向上のための処理等の所定の画像処理を行う画像処理部５０と、を備えている。なお、本実施の形態に係る画像処理装置１０では、メモリ２０として揮発性のメモリ（ここでは、ＳＤＲＡＭ（Synchronous DRAM））を適用している。
【００３１】
画像処理装置１０にはパーソナル・コンピュータ等の外部装置（図示省略。）が接続されており、当該外部装置から原画像データ及び合成画像データが入力されてメモリ２０の所定領域に一時的に記憶される。但し、この構成に限らず、原画像データのみ外部装置から入力し、合成画像データはメモリ２０の所定領域に予め記憶されているものとすることもできる。この場合、メモリ２０として不揮発性のもの（一例として、フラッシュ・メモリ）を適用することが好ましい。
【００３２】
本実施の形態に係る画像処理装置１０では、合成画像データとして、日付を示す画像を示す画像データ（図２（Ａ）参照。）、ページ番号を示す画像を示す画像データ（図２（Ｂ）参照。）、スタンプを示す画像を示す画像データ（図２（Ｃ）参照。）、及びコピーを抑制するための画像を示す画像データ（図２（Ｄ）参照。）等を適用している。なお、本実施の形態に係る合成画像データは、当該合成画像データにより示される合成画像が、原画像データにより示される原画像と同一の解像度で、かつ同一のサイズ（縦方向及び横方向の双方のサイズ）とされたものが適用されている。
【００３３】
また、本実施の形態に係る画像処理装置１０では、原画像データとして、複数の原色（ここでは、Ｃ（シアン）、Ｍ（マゼンタ）、Ｙ（イエロー）、Ｋ（ブラック）の４色）毎のカラー画像データにより構成されるものを適用している。
【００３４】
なお、本実施の形態に係る画像処理装置１０は、原画像に合成画像を合成するか否かを設定することができるように構成されており、合成する旨の設定がなされている場合は、メモリ制御部３０において上記原画像データの変換が行われた後に変換後の原画像データを画像処理部５０に転送するが、合成しない旨の設定がなされている場合は、原画像データをそのまま画像処理部５０に転送する。
【００３５】
次に、図３を参照して、本実施の形態に係るメモリ制御部３０の構成を説明する。なお、図３は、本実施の形態に係るメモリ制御部３０の要部構成を示すブロック図である。
【００３６】
同図に示すように、このメモリ制御部３０は、メモリ２０から原画像データ及び合成画像データを入力する役割を有するデータ入力部３２と、原画像データの一部領域に合成画像データが含まれるように原画像データを変換するデータ変換部３４と、データ変換部３４から出力された原画像データを画像処理部５０に出力する役割を有するデータ出力部３６と、を備えている。なお、本実施の形態に係る画像処理装置１０は、上述したように、原画像に合成画像を合成するか否かを設定することができるように構成されており、データ変換部３４では、合成する旨の設定がなされている場合は上記原画像データの変換を行った後に変換後の原画像データを画像処理部５０に転送し、合成しない旨の設定がなされている場合には原画像データを入力されたままの状態で画像処理部５０に転送する。
【００３７】
次に、図４を参照して、本実施の形態に係る画像処理部５０の構成を説明する。なお、図４は、本実施の形態に係る画像処理部５０の要部構成を示すブロック図である。
【００３８】
同図に示すように、この画像処理部５０は、メモリ制御部３０から入力された原画像データに含まれる合成画像データを抽出する合成画像抽出部５２と、合成画像抽出部５２によって抽出された合成画像データにより示される合成画像をメモリ制御部３０から入力された原画像データによって示される原画像に合成する処理を行う画像合成部５４と、を備えている。なお、本実施の形態に係る画像処理装置１０は、上述したように、原画像に合成画像を合成するか否かを設定することができるように構成されており、画像処理部５０では、合成する旨の設定がなされている場合は原画像に対して合成画像を合成する処理を行った後に所定の画像処理を行い、合成しない旨の設定がなされている場合には当該合成画像を合成する処理を行うことなく所定の画像処理を行う。
【００３９】
次に、図５を参照して、本実施の形態に係るデータ転送装置としてのメモリ制御部３０の作用を説明する。なお、図５は、１画像分の原画像データ及び合成画像データを画像処理部５０に転送する際にデータ変換部３４において実行されるデータ変換処理の流れを示すフローチャートである。また、ここでは、錯綜を回避するために、メモリ２０に原画像データ及び合成画像データが既に記憶されており、かつユーザによって原画像に合成画像を合成する旨が設定されている場合について説明する。
【００４０】
まず、同図のステップ１００では、原画像データ及び合成画像データのメモリ２０からのデータ入力部３２を介した読み出しを開始し、次のステップ１０２では、読み出した原画像データの１画素分の画素データ（以下、「処理対象画素データ」という。）が予め定められた合成条件に合致するか否かを判定し、肯定判定となった場合はステップ１０４に移行する。なお、本実施の形態に係るデータ変換処理では、上記合成条件として、処理対象画素データが、印刷した際の視覚認識度が他色に比較して最も低いＹ（イエロー）に対応するものである、という条件が適用されている。
【００４１】
ステップ１０４では、処理対象画素データの一部領域に合成画像データを含める処理を行い、その後にステップ１０６に移行する。
【００４２】
なお、本実施の形態に係るデータ変換処理では、上記ステップ１０４の処理として、一例として図６に模式的に示すように、処理対象画素データ（同図に示す例では、８ビット構成のデータ）の一部のビット（同図に示す例では、最下位の１ビット）を、合成画像データにおける当該処理対象画素データの印刷位置に対応する画素データに置き換える処理を行う。
【００４３】
一方、上記ステップ１０２において否定判定となった場合にはステップ１０４の処理を実行することなくステップ１０６に移行する。
【００４４】
ステップ１０６では、上記合成条件に合致した処理対象画素データについては上記ステップ１０４の処理によって合成画像データが含むものとされた原画像データを、上記合成条件に合致しなかった処理対象画素データについては合成画像データが含まれない原画像データを、画像処理部５０にデータ出力部３６を介して出力し、その後にステップ１０８に移行する。
【００４５】
ステップ１０８では、１画像分の原画像データの画像処理部５０への転送が終了したか否かを判定し、否定判定となった場合は上記ステップ１０２に戻り、肯定判定となった時点で本データ変換処理を終了する。
【００４６】
以上のデータ変換処理によって原画像データが入力された画像処理部５０では、合成画像抽出部５２により、メモリ制御部３０から入力された原画像データに含まれる合成画像データが抽出され、画像合成部５４により、合成画像抽出部５２によって抽出された合成画像データにより示される合成画像をメモリ制御部３０から入力された原画像データによって示される原画像に合成する処理が行われた後に所定の画像処理が行われる。
【００４７】
この結果、合成画像データが日付を示す画像を示す画像データであった場合は、一例として図７（Ａ）に示すような日付が付された状態の合成画像が印刷され、合成画像データが頁番号を示す画像を示す画像データであった場合は、一例として図７（Ｂ）に示すようなページ番号が付された状態の合成画像が印刷され、合成画像データがスタンプを示す画像を示す画像データであった場合は、一例として図７（Ｃ）に示すようなスタンプが付された状態の合成画像が印刷され、合成画像データがコピーを抑制するための画像を示す画像データであった場合は、一例として図７（Ｄ）に示すようなコピーを抑制するための画像が付された状態の合成画像が印刷される。
【００４８】
以上詳細に説明したように、本実施の形態によれば、原画像データの一部領域に合成画像データが含まれるように原画像データを変換し、変換した原画像データを画像処理装置に転送しているので、合成画像データを画像処理装置に転送するためのデータパスを削減することができ、データ転送期間の長期間化を招くことなく、装置の小型化及びコストの低減が実現できる。
【００４９】
また、本実施の形態によれば、原画像データにおける当該原画像データによって示される原画像の視覚認識度が所定度合いより低い領域（ここでは、Ｙ（イエロー）の画像データにおける最下位の１ビット）に合成画像データが含まれるように原画像データを変換しているので、原画像データによって再現（印刷）される原画像の画質の劣化を抑制することができる。
【００５０】
また、本実施の形態によれば、原画像データを、画素毎に複数ビットの画素データにより構成されるものとし、原画像データにおける各画素データの一部のビットを前記合成画像データに置き換えることにより原画像データを変換しているので、当該変換を容易かつ短時間に行うことができる。
【００５１】
更に、本実施の形態によれば、原画像データを、複数の原色毎のカラー画像データにより構成されるものとし、原画像データにおける複数のカラー画像データの一部（ここでは、Ｙの画像データ）を対象として前記変換を行っているので、当該複数のカラー画像データの全部を対象として変換を行う場合に比較して、原画像データによって再現（印刷）される原画像の画質の劣化を抑制することができる。
【００５２】
なお、本実施の形態では、原画像データを画素毎に複数ビットの画素データにより構成されるものとし、原画像データにおける各画素データの一部のビットを合成画像データに置き換えることにより原画像データを変換する場合について説明したが、本発明はこれに限定されるものではなく、例えば、一例として図８に模式的に示すように、処理対象画素データ（同図に示す例では、８ビット構成のデータ）における視覚認識度が低い領域のビット（同図に示す例では、最下位の１ビット）を、合成画像データにおける当該処理対象画素データの印刷位置に対応する画素データに置き換える処理を行うことにより、原画像データにおける各画素データの少なくとも一部のビットを当該画素データと合成画像データとで共用するように原画像データを変換する形態とすることもできる。例えば、８ビット構成とされたＢ（ブラック）の濃度範囲を‘００００００００’から‘１１１１１１１０’までの範囲とし、上位７ビットが全て‘１’である場合に限り、最下位ビットを合成画像データに置き換える。
【００５３】
この場合、原画像データのビット数を削減することがなくなるため、本実施の形態に比較して、原画像データによって示される画像を、より高画質なものとすることができる。
【００５４】
また、本実施の形態では、合成画像データを含める原画像データとして、Ｙ（イエロー）のカラー画像データを適用した場合について説明したが、本発明はこれに限定されるものではなく、例えば、背景画像とのコントラストが大きく、背景画像との境界部分における多少の濃度の変化は視認し難いＢ（ブラック）のカラー画像データを適用する形態とすることもできる。この場合も、本実施の形態と同様の効果を奏することができる。
【００５５】
また、本実施の形態では、原画像データにおけるカラー画像データの一部のみ（Ｙのみ）を対象として合成画像データを含める変換を行った場合について説明したが、本発明はこれに限定されるものではなく、例えば、Ｃ、Ｍ、Ｙ、Ｋの全てのカラー画像データを対象として合成画像データを含める変換を行う形態とすることもできる。この場合、原画像データの、より多くのビットを、合成画像データを含めるものとして用いることができるので、合成画像データの解像度やバリエーション等を増加させることができる。
【００５６】
また、本実施の形態では、原画像データとして、Ｃ、Ｍ、Ｙ、Ｋの４色のカラー画像データにより構成されるものを適用した場合について説明したが、本発明はこれに限定されるものではなく、例えば、Ｌａｂ表色系、ＲＧＢ表色系、ＹＣｒＣｂ表色系等の、他の標準色空間の画像データを適用する形態とすることもできる。例えば、Ｌａｂ色空間を適用する場合は、Ｌよりも視覚認識度が低いａ及びｂの少なくとも一方に合成画像データを含める変換を行うことが原画像の画質劣化を抑制するうえで好ましく、他の標準色空間についても視覚認識度が低いパラメータを合成画像データの組み込み用に用いることが好ましいことは言うまでもない。この場合も、本実施の形態と同様の効果を奏することができる。
【００５７】
［第２の実施の形態］
まず、図９を参照して、本第２の実施の形態に係る画像処理装置１０’の構成を説明する。なお、図９は、本第２の実施の形態に係る画像処理装置１０’の要部構成を示すブロック図であり、原画像データ等のデータを外部装置から入力するデータ入力部、画像を出力（印刷）する画像出力部、外部装置と電気的に接続するための外部接続部、ユーザからの指示の入力や各種情報を表示するユーザ・インタフェース部等の本発明に直接的には関係しない部分については図示を省略している。
【００５８】
同図に示すように、本第２の実施の形態に係る画像処理装置１０’は、主として原画像データ、合成画像データ及び属性データを一時的に記憶するメモリ２０’と、メモリ２０’に記憶された原画像データ、合成画像データ及び属性データを読み出し、必要に応じて属性データの一部領域に合成画像データが含まれるように属性データを変換して、原画像データ、合成画像データ及び属性データを後述する画像処理部５０’に転送するメモリ制御部３０’と、原画像データによって示される原画像に合成画像データによって示される合成画像を合成する処理や、原画像データに対する画像品質向上のための処理等の所定の画像処理を行う画像処理部５０’と、を備えている。
【００５９】
画像処理装置１０’にはパーソナル・コンピュータ等の外部装置（図示省略。）が接続されており、当該外部装置から原画像データ、合成画像データ及び属性データが入力されてメモリ２０’の所定領域に一時的に記憶される。但し、この構成に限らず、原画像データ及び属性データのみ外部装置から入力し、合成画像データはメモリ２０’の所定領域に予め記憶されているものとすることもできる。
【００６０】
なお、本第２の実施の形態に係る原画像データ及び合成画像データは、上記第１の実施の形態に係る原画像データ及び合成画像データと同様のものである。
【００６１】
一方、本第２の実施の形態に係る属性データは、原画像データを構成する複数の原色（ここでは、Ｃ、Ｍ、Ｙ、Ｋの４色）毎のカラー画像データの各々に対応すると共に、対応するカラー画像データの各画素データに１対１で対応するデータ群により構成されたデータ構造となっており、図１３（Ａ）〜図１３（Ｃ）に示すように、対応する画素の、対応する原色の濃度を示すインク滴の大きさを示すデータ群により構成されている。なお、本実施の形態に係る画像処理装置１０’では、上記データ群の各データとして２ビット構成のデータを適用しており、小インク滴を示すデータとして‘００’が、中インク滴を示すデータとして‘０１’が、大インク滴を示すデータとして‘１０’が、各々割り当てられている。
【００６２】
なお、本実施の形態に係る画像処理装置１０’は、原画像に合成画像を合成するか否かを設定することができるように構成されており、合成する旨の設定がなされている場合は、メモリ制御部３０’において上記属性データの変換が行われた後に変換後の属性データを画像処理部５０’に転送するが、合成しない旨の設定がなされている場合は、属性データをそのまま画像処理部５０’に転送する。
【００６３】
次に、図１０を参照して、本第２の実施の形態に係るメモリ制御部３０’の構成を説明する。なお、図１０は、本第２の実施の形態に係るメモリ制御部３０’の要部構成を示すブロック図である。
【００６４】
同図に示すように、このメモリ制御部３０’は、メモリ２０’から原画像データ、合成画像データ及び属性データを入力する役割を有するデータ入力部３２’と、属性データの一部領域に合成画像データが含まれるように属性データを変換するデータ変換部３４’と、データ変換部３４’から出力された原画像データ及びメモリ２０’から読み出された原画像データを画像処理部５０’に出力する役割を有するデータ出力部３６’と、を備えている。なお、本第２の実施の形態に係る画像処理装置１０’は、上述したように、原画像に合成画像を合成するか否かを設定することができるように構成されており、データ変換部３４’では、合成する旨の設定がなされている場合は上記属性データの変換を行った後に変換後の属性データを画像処理部５０’に転送し、合成しない旨の設定がなされている場合には属性データを入力されたままの状態で画像処理部５０’に転送する。
【００６５】
次に、図１１を参照して、本第２の実施の形態に係る画像処理部５０’の構成を説明する。なお、図１１は、本第２の実施の形態に係る画像処理部５０’の要部構成を示すブロック図である。
【００６６】
同図に示すように、この画像処理部５０’は、メモリ制御部３０’から入力された属性データに含まれる合成画像データを抽出する合成画像抽出部５２’と、合成画像抽出部５２’によって抽出された合成画像データにより示される合成画像をメモリ制御部３０’から入力された原画像データによって示される原画像に合成する処理を行う画像合成部５４’と、を備えている。なお、本第２の実施の形態に係る画像処理装置１０’は、上述したように、原画像に合成画像を合成するか否かを設定することができるように構成されており、画像処理部５０’では、合成する旨の設定がなされている場合は原画像に対して合成画像を合成する処理を行った後に所定の画像処理を行い、合成しない旨の設定がなされている場合には当該合成画像を合成する処理を行うことなく所定の画像処理を行う。
【００６７】
次に、図１２を参照して、本第２の実施の形態に係るデータ転送装置としてのメモリ制御部３０’の作用を説明する。なお、図１２は、１画像分の原画像データ、合成画像データ及び属性データを画像処理部５０’に転送する際にデータ変換部３４’において実行されるデータ変換処理の流れを示すフローチャートである。また、ここでは、錯綜を回避するために、メモリ２０’に原画像データ、合成画像データ及び属性データが既に記憶されており、かつユーザによって原画像に合成画像を合成する旨が設定されている場合について説明する。
【００６８】
まず、同図のステップ２００では、原画像データ、合成画像データ及び属性データのメモリ２０’からのデータ入力部３２’を介した読み出しを開始し、次のステップ２０２では、読み出した属性データの１画素分の画素データ（以下、「処理対象画素データ」という。）が予め定められた合成条件に合致するか否かを判定し、肯定判定となった場合はステップ２０４に移行する。なお、本第２の実施の形態に係るデータ変換処理では、上記合成条件として、処理対象画素データが、印刷した際の視覚認識度が他色に比較して最も低いＹ（イエロー）に対応するものである、という条件が適用されている。
【００６９】
ステップ２０４では、処理対象画素データの一部領域に合成画像データを含める処理を行い、その後にステップ２０６に移行する。
【００７０】
なお、本第２の実施の形態に係るデータ変換処理では、上記ステップ２０４の処理として、一例として図１３に模式的に示すように、処理対象画素データ（同図に示す例では、２ビット構成のデータ）の一部のビット（同図に示す例では、最下位の１ビット）を、合成画像データにおける当該処理対象画素データの印刷位置に対応する画素データに置き換える処理を行う。すなわち、前述したように、本実施の形態に係る属性データは２ビット構成とされていると共に、当該２ビットにおける‘００’から‘１０’までについてはインク滴の吐出量を示すデータとして用いているが、‘１１’については用いられていない。この点に着目して、画像処理装置１０’では、‘１１’を合成画像データとして割り当てている。なお、画像処理部５０’では、属性データが‘００’から‘１０’までの範囲内である場合は、対応する画素の対応する原色に対するインク滴量として当該属性データに対応したインク滴量を適用するようにし、属性データが‘１１’である場合には、対応する画素が所定色（例えば、黒色）となるようにインク滴の吐出を制御することによって合成画像の１画素を記録するようにする。
【００７１】
一方、上記ステップ２０２において否定判定となった場合にはステップ２０４の処理を実行することなくステップ２０６に移行する。
【００７２】
ステップ２０６では、上記合成条件に合致した処理対象画素データについては上記ステップ２０４の処理によって合成画像データが含むものとされた属性データを、上記合成条件に合致しなかった処理対象画素データについては合成画像データが含まれない属性データを、画像処理部５０’にデータ出力部３６’を介して出力し、その後にステップ２０８に移行する。
【００７３】
ステップ２０８では、１画像分の属性データの画像処理部５０’への転送が終了したか否かを判定し、否定判定となった場合は上記ステップ２０２に戻り、肯定判定となった時点で本データ変換処理を終了する。
【００７４】
以上のデータ変換処理によって原画像データ及び属性データが入力された画像処理部５０’では、合成画像抽出部５２’により、メモリ制御部３０’から入力された属性データに含まれる合成画像データが抽出され、画像合成部５４’により、合成画像抽出部５２’によって抽出された合成画像データにより示される合成画像をメモリ制御部３０’から入力された原画像データによって示される原画像に合成するための処理（上述した、対応する画素が所定色となるようにインク滴の吐出を制御する処理）が行われる一方、合成画像抽出部５２’によって合成画像データが抽出されなかった画素については、合成画像抽出部５２’から入力された属性データによって示されるインク滴量での印刷が行われるようにする画像処理が行われる。
【００７５】
この結果、合成画像データが日付を示す画像を示す画像データであった場合は、一例として図７（Ａ）に示すような日付が付された状態の合成画像が印刷され、合成画像データが頁番号を示す画像を示す画像データであった場合は、一例として図７（Ｂ）に示すようなページ番号が付された状態の合成画像が印刷され、合成画像データがスタンプを示す画像を示す画像データであった場合は、一例として図７（Ｃ）に示すようなスタンプが付された状態の合成画像が印刷され、合成画像データがコピーを抑制するための画像を示す画像データであった場合は、一例として図７（Ｄ）に示すようなコピーを抑制するための画像が付された状態の合成画像が印刷されることは、上述した第１の実施の形態と同様である。
【００７６】
以上詳細に説明したように、本実施の形態によれば、属性データの一部領域に合成画像データが含まれるように属性データを変換し、原画像データと変換した属性データとを画像処理装置に転送しているので、合成画像データを画像処理装置に転送するためのデータパスを削減することができ、データ転送期間の長期間化を招くことなく、装置の小型化及びコストの低減が実現できる。
【００７７】
また、本実施の形態によれば、属性データを、原画像データによって示される原画像の画素毎の濃度を示す複数ビット構成とされた画素データにより構成されるものとし、当該属性データにおける各画素データの各ビットを当該画素データと合成画像データとで共用するように属性データを変換しているので、原画像データによって再現（印刷）される原画像の画質の劣化を抑制することができると共に、属性データの変換を容易かつ短時間に行うことができる。
【００７８】
更に、本実施の形態によれば、原画像データを、複数の原色毎のカラー画像データにより構成されるものとすると共に、属性データを、前記複数の原色毎のカラー画像データの各々に対応する複数のデータにより構成されるものとし、当該属性データにおける前記複数のデータの一部（ここでは、Ｙの画像データ）を対象として変換を行っているので、当該複数のデータの全部を対象として変換を行う場合に比較して、原画像データによって再現（印刷）される原画像の画質の劣化を抑制することができる。
【００７９】
なお、本第２の実施の形態では、属性データを原画像データによって示される画像の画素毎の濃度を示す複数ビット構成とされた画素データにより構成されるものとし、当該属性データにおける各画素データの一部のビットを当該画素データと合成画像データとで共用するように属性データを変換する場合について説明したが、本発明はこれに限定されるものではなく、一例として図１４に示すように、属性データを原画像データによって示される画像の画素毎の再生位置を示す複数ビット構成とされた画素データにより構成されるものとし、当該属性データにおける各画素データの一部のビットを当該画素データと合成画像データとで共用するように属性データを変換する形態や、一例として図１５に示すように、属性データを原画像データによって示される画像の画素毎の濃度変換情報を特定するための特定情報を示す複数ビット構成とされた画素データにより構成されるものとし、当該属性データにおける各画素データの一部のビットを当該画素データと合成画像データとで共用するように属性データを変換する形態とすることもできる。
【００８０】
なお、図１４に示される属性データは、原画像データを構成する複数の原色（ここでは、Ｃ、Ｍ、Ｙ、Ｋの４色）毎のカラー画像データの各々に対応すると共に、対応するカラー画像データの各画素データに１対１で対応するデータ群により構成されたデータ構造となっており、図１４（Ａ）〜図１４（Ｃ）に示すように、対応する原色の、対応する画素のインク滴を吐出する位置を示すデータ群により構成されている。なお、同図に示す例では、上記データ群の各データとして２ビット構成のデータを適用しており、１画素内の水平方向に対する中央部にインク滴を吐出することを示すデータとして‘００’が、１画素内の水平方向に対する右端部にインク滴を吐出することを示すデータとして‘０１’が、１画素内の水平方向に対する左端部にインク滴を吐出することを示すデータとして‘１０’が、各々割り当てられている。
【００８１】
このように、同図に示す例では、属性データを２ビット構成とすると共に、当該２ビットにおける‘００’から‘１０’までについてはインク滴の吐出位置を示すデータとして用いているので、当該吐出位置を示すデータとして用いられていない‘１１’を合成画像データとして割り当てている。従って、この場合は、２ビット構成とされた属性データの当該２ビットを属性データと合成画像データとで共用していることになる。
【００８２】
一方、図１５に示される属性データは、原画像データを構成する複数の原色（ここでは、Ｃ、Ｍ、Ｙ、Ｋの４色）毎のカラー画像データの各々に対応すると共に、対応するカラー画像データの各画素データに１対１で対応するデータ群により構成されたデータ構造となっており、図１５（Ａ）〜図１５（Ｃ）に示すように、対応する原色の、対応する画素の濃度変換情報を特定するための特定情報を示すデータ群により構成されている。なお、同図に示す例では、上記データ群の各データとして２ビット構成のデータを適用しており、図１５（Ａ）に示される濃度変換特性を特定するためのデータとして‘００’が、図１５（Ｂ）に示される濃度変換特性を特定するためのデータとして‘０１’が、図１５（Ｃ）に示される濃度変換特性を特定するためのデータとして‘１０’が、各々割り当てられている。
【００８３】
このように、同図に示す例では、属性データを２ビット構成とすると共に、当該２ビットにおける‘００’から‘１０’までについては濃度変換特性を特定するためのデータとして用いているので、当該濃度変換特性を特定するためのデータとして用いられていない‘１１’を合成画像データとして割り当てている。従って、この場合も、２ビット構成とされた属性データの当該２ビットを属性データと合成画像データとで共用していることになる。
【００８４】
これらの場合も、本第２の実施の形態と同様の効果を奏することができる。
【００８５】
また、上記各実施の形態では、合成画像データとして、当該合成画像データにより示される合成画像が、原画像データにより示される原画像と同一の解像度で、かつ同一のサイズ（縦方向及び横方向の双方のサイズ）とされたものを適用した場合について説明したが、本発明はこれに限定されるものではなく、例えば、一例として図１６（Ａ）〜図１６（Ｄ）に示すように、合成画像データとして、当該合成画像データにより示される合成画像が、原画像データにより示される原画像と同一の解像度で、かつ当該原画像より小さいサイズとされたものを適用する形態とすることもできる。この場合、合成画像データを記憶するための記憶容量を削減することができる。
【００８６】
また、上記各実施の形態では、本発明のデータ転送装置を画像処理装置と一体的に構成した場合について説明したが、本発明はこれに限定されるものではなく、本発明のデータ転送装置を画像処理装置の外部に設ける形態とすることもできる。この場合の形態例としては、上記各実施の形態におけるメモリ２０（２０’）を、外部装置に搭載されたハードディスク装置等とし、当該外部装置と画像処理装置との間に単体構成とされたデータ転送装置を介在させる形態等を例示することができる。この場合も、上記各実施の形態と同様の効果を奏することができる。
【００８７】
また、上記各実施の形態では、画像処理装置をインクジェット記録装置とした場合について説明したが、本発明はこれに限定されるものではなく、例えば、デジタル複写機、ファクシミリ装置、デジタル複合機等の他の画像形成装置とすることもできる。この場合も、上記各実施の形態と同様の効果を奏することができる。
【００８８】
その他、上記各実施の形態で説明した画像処理装置の構成（図１、図３、図４、図９〜図１１参照。）は一例であり、本発明の主旨を逸脱しない範囲内において適宜変更可能であることは言うまでもない。
【００８９】
更に、上記各実施の形態で説明したデータ変換処理の流れ（図５、図１２参照。）も一例であり、本発明の主旨を逸脱しない範囲内において適宜変更可能であることは言うまでもない。
【図面の簡単な説明】
【００９０】
【図１】第１の実施の形態に係る画像処理装置の要部構成を示すブロック図である。
【図２】実施の形態に係る合成画像データによって示される合成画像の例を示す概略図である。
【図３】第１の実施の形態に係るメモリ制御部の要部構成を示すブロック図である。
【図４】第１の実施の形態に係る画像処理部の要部構成を示すブロック図である。
【図５】第１の実施の形態に係るデータ変換処理の流れを示すフローチャートである。
【図６】第１の実施の形態に係る原画像データの一部領域に合成画像データを含める処理の説明に供する模式図である。
【図７】実施の形態に係る画像処理装置によって印刷される画像の例を示す概略図である。
【図８】第１の実施の形態に係る原画像データの一部領域に合成画像データを含める処理の変形例の説明に供する模式図である。
【図９】第２の実施の形態に係る画像処理装置の要部構成を示すブロック図である。
【図１０】第２の実施の形態に係るメモリ制御部の要部構成を示すブロック図である。
【図１１】第２の実施の形態に係る画像処理部の要部構成を示すブロック図である。
【図１２】第２の実施の形態に係るデータ変換処理の流れを示すフローチャートである。
【図１３】第２の実施の形態に係る属性データの一部領域に合成画像データを含める処理の説明に供する模式図である。
【図１４】第２の実施の形態に係る属性データの一部領域に合成画像データを含める処理の変形例の説明に供する模式図である。
【図１５】第２の実施の形態に係る属性データの一部領域に合成画像データを含める処理の変形例の説明に供する模式図である。
【図１６】実施の形態に係る合成画像データの他の例を示す概略図である。
【符号の説明】
【００９１】
１０、１０’    画像処理装置
２０、２０’    メモリ
３０、３０’    メモリ制御部
３２、３２’    データ入力部
３４、３４’    データ変換部（変換手段）
３６、３６’    データ出力部（転送手段）
５０、５０’    画像処理部
５２、５２’    合成画像抽出部
５４、５４’    画像合成部
【図１】
2006093978.tif 000003
【図２】
2006093978.tif 000004
【図３】
2006093978.tif 000005
【図４】
2006093978.tif 000006
【図５】
2006093978.tif 000007
【図６】
2006093978.tif 000008
【図７】
2006093978.tif 000009
【図８】
2006093978.tif 000010
【図９】
2006093978.tif 000011
【図１０】
2006093978.tif 000012
【図１１】
2006093978.tif 000013
【図１２】
2006093978.tif 000014
【図１３】
2006093978.tif 000015
【図１４】
2006093978.tif 000016
【図１５】
2006093978.tif 000017
【図１６】
2006093978.tif 000018